(57)【要約】      （修正有）【課題】線状体の引き出し操作時または巻き取り操作時において、巻取機の転倒や位置ずれを防止することができる巻取機転倒防止具を提供する。【解決手段】平板部２と巻取機１００の丸棒状の脚部１０６に嵌着される取付部３とを有する。平板部２は、所定方向に長手を有する長方形であり、平板部２の長手方向の一方端側に取付部３が設けられている。取付部３は、平板部２の裏面に固定され、筒状に形成されている。【選択図】図３
0003228954.tif 000002
【実用新案登録請求の範囲】
【請求項１】
平板部と巻取機の丸棒状の脚部に嵌着される取付部とを有することを特徴とする巻取機転倒防止具。
【請求項２】
前記平板部は、所定方向に長手を有する長方形であり、該平板部の長手方向の一方端側に前記取付部が設けられていることを特徴とする請求項１に記載の巻取機転倒防止具。
【請求項３】
前記取付部は、前記平板部の裏面に固定されていることを特徴とする請求項１または２に記載の巻取機転倒防止具。
【請求項４】
前記取付部は、筒状に形成されていることを特徴とする請求項１ないし３のいずれかに記載の巻取機転倒防止具。
【請求項５】
前記取付部は、長手方向両端に渡りスリットが形成された弾性部材よりなることを特徴とする請求項１ないし４のいずれかに記載の巻取機転倒防止具。
【請求項６】
前記取付部は、前記スリットが前記平板部の長手方向を向くように前記平板部に固定されていることを特徴とする請求項５に記載の巻取機転倒防止具。
【考案の詳細な説明】
【技術分野】
【０００１】
本考案は、線状体の引き出し操作時または巻き取り操作時において、巻取機の転倒を防止する巻取機転倒防止具に関する。
【背景技術】
【０００２】
長尺の線状体をコンパクトにまとめながら、使用時には絡まることなく引き出せるようにする巻取機が様々な分野で利用されている。例えば、電源ケーブルでは、電工ドラムという名で広く知られている。例えば特許文献１に記載の巻取機は、金属製の線材を屈曲させて形成されたベースとなる脚部と、脚部に回転可能に軸支された胴部（ボビン）と、胴部に配設された複数の差込口と電気的に接続され端部にプラグを有する電気コードとを備え、胴部に電気コードを巻回させて長尺の線状体である電気コードをコンパクトにまとめることができるようになっている。
【０００３】
【特許文献１】特開２００８−４２４２９号公報（第４頁、第１図）
【考案の概要】
【考案が解決しようとする課題】
【０００４】
このような巻取機は、電気コードをコンパクトにまとめることが目的であるため、脚部の前後幅は胴部の直径と略同寸法に形成されている。使用者は必要に応じて脚部を足で抑えて引き出し操作または巻き取り操作を行うが、脚部の前後幅が小さいことから、十分に体重を掛けられず、巻取機の転倒や位置ずれが生じ、引き出し操作及び巻き取り操作が煩雑となる虞があった。
【０００５】
本考案は、このような問題点に着目してなされたもので、線状体の引き出し操作時または巻き取り操作時において、巻取機の転倒や位置ずれを防止することができる巻取機転倒防止具を提供することを目的とする。
【課題を解決するための手段】
【０００６】
前記課題を解決するために、本考案の巻取機転倒防止具は、
平板部と巻取機の丸棒状の脚部に嵌着される取付部と、を有することを特徴としている。
この特徴によれば、巻取機転倒防止具が取り付けられることにより、巻取機及び巻取機転倒防止具の床面または地面との接地領域が前後方向に延び、巻取機の安定性が向上し、線状体の引き出し操作時または巻き取り操作時において、巻取機の転倒や位置ずれを防止することができる。
【０００７】
前記平板部は、所定方向に長手を有する長方形であり、該平板部の長手方向の一方端側に前記取付部が設けられていることを特徴としている。
この特徴によれば、床面または地面との接地領域を前後方向に大きく延ばずことができ、かつ平板部の自由端部の角部が床面または地面に接地し、巻取機の左右方向の揺動を効果的に防止することができる。
【０００８】
前記取付部は、前記平板部の裏面に固定されていることを特徴としている。
この特徴によれば、平板部にかかる荷重や応力が取付部の構造強度により支持される構成となるため、これら取付部と平板部との固定部分に大きなせん断力が作用せず、簡単な構造で耐久性に優れた巻取機転倒防止具を形成することができる。
【０００９】
前記取付部は、筒状に形成されていることを特徴としている。
この特徴によれば、丸棒状の巻取機の脚部を軸にして取り付けられた巻取機転倒防止具を回動させ、必要に応じて巻取機の脚部の下方に収納することができ、着脱の手間を省くことができる。
【００１０】
前記取付部は、長手方向両端に渡りスリットが形成された弾性部材よりなることを特徴としている。
この特徴によれば、巻取機転倒防止具を容易に巻取機に着脱させることができる。
【００１１】
前記取付部は、前記スリットが前記平板部の長手方向を向くように前記平板部に固定されていることを特徴としている。
この特徴によれば、スリットを構成する開口縁部が地面に接地せずに、取付部の下端が地面に接地する構成であるため、地面への接地により取付具が巻取機の脚部から外れることがない。
【図面の簡単な説明】
【００１２】
【図１】本考案の実施例に係る巻取機転倒防止具が取り付けられる巻取機を示す斜視図である。
【図２】本考案の実施例に係る巻取機転倒防止具を示す斜視図である。
【図３】巻取機に巻取機転倒防止具を取り付けた状態を示す斜視図である。
【図４】巻取機の脚部の下方に巻取機転倒防止具を収納した状態を示す斜視図である。
【考案を実施するための形態】
【００１３】
本考案に係る巻取機転倒防止具を実施するための形態を実施例に基づいて以下に説明する。
【実施例】
【００１４】
本考案における巻取機転倒防止具は、巻取機の脚部に取り付けて利用され、線状体の引き出し操作時または巻き取り操作時において、巻取機の転倒や位置ずれを防止することを目的としたものである。
【００１５】
実施例に係る巻取機転倒防止具につき、図１から図４を参照して説明する。まず、巻取機転倒防止具が取り付けられる巻取機１００について説明する。図１に示されるように、地面や床面に立設されるベース部１０１と、ベース部１０１に回転可能に軸支されたボビン１０２と、ボビン１０２に配設された複数の差込口１０３に電気的に接続され自由端部にプラグ１０４を有する線状体である電気コード１０５とを備え、ボビン１０２に電気コード１０５を巻回させて長尺の線状体である電気コード１０５をコンパクトにまとめることができるようになっている。
【００１６】
ベース部１０１は、丸棒状の金属製の線材を屈曲させて形成され、下部に平面視でコ字状の脚部１０６を有している。脚部１０６は、ボビンの前後にそれぞれ平行に伸びる杆部１０７，１０７と杆部１０７，１０７の端部にそれぞれ連なって前後方向に延びる連結部１０８とから構成されており、これらの下端が地面または床面に設置するようになっている。
【００１７】
次いで、図２から図４を用いて実施例に係る巻取機転倒防止具の構成を説明する。巻取機転倒防止具１は、木材や樹脂製の平板部材（平板部）２と、平板部材２の裏面２ａに固定された取付具（取付部）３とから構成されている。
【００１８】
平板部材２は、所定方向に長手を有する平面視で長方形を成している。図４に示されるように、平板部材２の長手方向の寸法は、一般的な巻取機１００の脚部１０６の前後寸法よりも若干長く形成されている。
【００１９】
取付具３は、平板部材２の裏面２ａの長手方向の一方端部に接着固定されており、平板部材２の長手方向に対して直交する方向に長手を有する筒状であり、この長手方向の両端に渡りスリット４が形成された側面視略Ｕ字状を成す取付部材５と、取付部材５の内側に配設された弾性を有する金属製の側面視略Ｃ字状を成すクリップ６，６とにより構成されている。取付部材５は合成樹脂等の弾性を有する素材で形成されており、スリット４を挟んだ上下に平面部５ａ，５ａをそれぞれ有している。
【００２０】
取付具３は、取付部材５のスリット４が平板部材２の長手方向の外側を向くように平板部材２の裏面２ａに固定されている。言い換えると、取付具３の下端（平板部材２の裏面との固定箇所とは反対側の端部）には、取付部材５のスリット４が位置していない。
【００２１】
図３に示されるように、巻取機転倒防止具１は、巻取機１００の丸棒状の杆部１０７，１０７のいずれか一方に取付具３を嵌着させて取り付けられる。取り付けの際には、取付部材５のスリット４を巻取機の脚部１０６を構成する一方の杆部１０７に押し付けることで、スリット４及びクリップ６が拡開され、取付部材５及びクリップ６によって杆部１０７の外周が把持される。
【００２２】
巻取機転倒防止具１は、取付具３が平板部材２の下方に位置するように巻取機１００に固定されることで、平板部材２が傾斜し、取付具３の下端と平板部材２の自由端部２ｂが床面または地面に接地する。
【００２３】
このように巻取機１００の脚部１０６を構成する杆部１０７に巻取機転倒防止具１が取り付けられることにより、図３に示されるように、平板部材２が巻取機１００の前後方向の一方に張り出すことになる。そして、巻取機転倒防止具１が取り付けられていない側の杆部１０７と、巻取機転倒防止具１における取付具３の下端と、平板部材２の自由端部２ｂと、の３点が前後方向に並んで床面または地面に接地する。これにより、巻取機１００の安定性が大幅に向上することになる。言い換えると、巻取機転倒防止具１が取り付けられることにより、床面または地面との接地領域を前後方向に大きく確保することができ、線状体の引き出し操作時または巻き取り操作時において巻取機１００の安定性を大幅に向上させることができる。
【００２４】
加えて、使用者が前後に張り出した平板部材２の表面２ｃに足を載せることで、使用者の足との接触面積を大きく確保することができ、巻取機転倒防止具１が取り付けられた巻取機１００の安定性を向上させることができる。
【００２５】
また取付具３が平板部材２の裏面２ａに固定され、平板部材２が傾斜して巻取機１００に取り付けられることから、平板部材２の表面２ｃの平面上において使用者の足が載せられる位置に関わらず、上記した取付具３が取り付けられていない杆部１０７と、取付具３の下端と、平板部材２の自由端部２ｂと、が床面または地面に３点で確実に接地するため、巻取機転倒防止具１による巻取機１００の安定性を確実に向上させることができる。
【００２６】
また、平板部材２は、巻取機１００から離れる方向に長手を有する長方形であり、平板部材２の長手方向の一方端側に取付具３が取り付けられているため、床面または地面との接地領域を前後方向に大きく延ばずことができる。加えて、平板部材２が矩形状であることから、自由端部２ｂの角部２０，２０が床面または地面に接地し、巻取機１００の左右方向の揺動を効果的に防止することができる。
【００２７】
また、取付具３を平板部材２の裏面に固定することで、平板部材２にかかる荷重や巻取機安定的に抑えるためにかかる応力が、取付具３と取付具３が把持する杆部１０７との構造強度により支持される構成となるため、これら取付具３と平板部材２との固定部分に大きなせん断力が作用せず、耐久性に優れる。
【００２８】
また、取付具３を構成する取付部材５は、筒状に形成されており、長手方向にその厚みが均一であることから、取付具３が床面または地面と長手方向に線状に接地し、巻取機１００の安定性を高めることができる。
【００２９】
加えて、丸棒状の巻取機１００の杆部１０７を軸にして取り付けられた巻取機転倒防止具１を回動させることで、図４に示されるように、必要に応じて巻取機転倒防止具１を巻取機１００の脚部１０６の下方に収納することができ、着脱の手間を省くことができる。また、平板部材２はその長手方向の寸法が巻取機１００の脚部１０６の前後寸法よりも若干長い程度であるため、収納時において脚部１０６からの前後方向への張り出しが最小限となり、巻取機１００の携帯性、省スペース性が向上する。
【００３０】
また、取付具３を構成する取付部材５は長手方向両端に渡りスリット４が形成された弾性部材よりなるため、巻取機転倒防止具１を容易に巻取機１００の脚部１０６に着脱させることができる。巻取機１００は全体の大きさを小さくするために、脚部１０６の前後寸法を大きくとることができず安定性が犠牲になっているが、このような巻取機転倒防止具１を必要なときに取り付けるようにすることで、実質的に巻取機１００の携帯性や省スペース性を維持しながら安定性を向上させることができる。
【００３１】
また、取付具３を構成する取付部材５はスリット４が平板部材２の長手方向を向くように固定され、スリット４を構成する開口縁部が床面または地面に接地せずに、取付部材５の下端が地面に接地する構成であるため、床面または地面への接地により取付具３が巻取機１００の杆部１０７から外れることがない。
【００３２】
また、取付具３を構成する取付部材５はスリット４を挟んで上下に平面部５ａ，５ａを備え、この平面部５ａが平板部材２の裏面２ａに接着固定される構成であるため、接着面積が広く、取付具３と平板部材２との固定強度が高い。
【００３３】
以上、本考案の実施例を図面により説明してきたが、具体的な構成はこれら実施例に限られるものではなく、本考案の要旨を逸脱しない範囲における変更や追加があっても本考案に含まれる。
【００３４】
例えば、前記実施例における巻取機転倒防止具１は、それぞれ別体の平板部材２と取付具３とを固定して構成されているが、これに限らず、例えばこれらを合成樹脂により平板状の平板部とスリットを有する取付部を備えた一体構造で構成してもよい。
【００３５】
また、前記実施例において取付具３を構成する取付部材５は、スリット４が平板部材２の長手方向における外側を向くように平板部材２に固定されており、平板部材２の表面２ｃを上にした状態でスリット４が巻取機１００の脚部１０６方向を向くため、着脱作業が行い易くなっているが、これに限らず、例えば平板部材２の自由端部２ｂ側を向くように平板部材２に固定されてもよく、この場合、巻取機１００の脚部１０６と巻取機転倒防止具１とが離間する方向に外れにくくなり、線状体の引き出し操作時または巻き取り操作時において巻取機１００の安定性を維持し易い。
【００３６】
また、前記実施例において取付具３は、側面視略Ｕ字の筒状に形成されているが、巻取機１００の丸棒状の脚部１０６に取り付けられる構造であればこれに限らず、例えば略Ｃ字状のクリップを平板部材２の幅方向に複数個並べて構成されていてもよい。
【００３７】
また、取付具３は平板部材２の長手方向の一方端部に固定される構成に限らず、長手方向の中央部に固定されていてもよい。
【００３８】
また、前記実施例において取付具３は、平板部材２の長手方向に直交するように固定されているが、これに限らず、例えば取付具３と平板部材２とが斜めに交差するようにして固定されていてもよいし、取付具３と平板部材２とを平行にしてもよい。
【００３９】
また、平板部材２は矩形状に限らず、例えば円形や三角形などであってもよい。
【符号の説明】
【００４０】
１                巻取機転倒防止具
２                平板部材（平板部）
２ａ              裏面
２ｂ              自由端部
２ｃ              表面
３                取付具（取付部）
４                スリット
５                取付部材
５ａ              平面部
６                クリップ
２０，２０        角部
１００            巻取機
１０１            ベース部
１０２            ボビン
１０５            電気コード（線状体）
１０６            脚部
１０７            杆部
【図１】
0003228954.tif 000003
【図２】
0003228954.tif 000004
【図３】
0003228954.tif 000005
【図４】
0003228954.tif 000006